(57)【要約】【課題】被載置面上に載置された使用状態に於て、目立ちやすく、確実にメモ内容を見せる（例えば伝言を伝える）ことができるメモ用紙を提供する。【解決手段】未使用状態では、メモ記入用空白部１と折曲予定線部２を有する平面状紙片であって、かつ、折曲予定線部２を含む一直線に関して線対称として一対の円弧部３を有する外周縁４を備える。使用状態では、折曲予定線部２にて２つ折りして倒立Ｖ字形状とし、かつ、円弧部３を下方として、被載置面Ｅ上にシーソー運動可能に載置するように構成する。【選択図】図１
2015139942.tif 000002
【特許請求の範囲】
【請求項１】
未使用状態では、メモ記入用空白部（１）と折曲予定線部（２）を有する平面状紙片であって、かつ、上記折曲予定線部（２）を含む一直線（Ｌ）に関して線対称として一対の円弧部（３）を有する外周縁（４）を備え、
使用状態では、上記折曲予定線部（２）にて２つ折りして倒立Ｖ字形状とし、かつ、上記円弧部（３）を下方として、被載置面（Ｅ）上にシーソー運動可能に載置するように構成したことを特徴とするメモ用紙。
【請求項２】
上記外周縁（４）の形状を、上記一対の円弧部（３）を含んだ一つの円形とした請求項１記載のメモ用紙。
【請求項３】
折曲予定線部（２）が上記一直線（Ｌ）に沿って分離して配設され、該分離した折曲予定線部（２）に両端（21）がつながる打抜線（５）を上記一直線（Ｌ）から上記一対の円弧部（３）の内の一方へ接近するように形成し、使用状態に於て上記折曲予定線部（２）より上方へ突出片部（６）を形成するように構成した請求項１又は２記載のメモ用紙。
【発明の詳細な説明】
【技術分野】
【０００１】
本発明は、メモ用紙に関する。
【背景技術】
【０００２】
一般に、メモ用紙は、平面シート状である（例えば、特許文献１参照）。
【０００３】
しかし、机上に置かれたメモ用紙は、目立ちにくく、メモ内容（例えば伝言）が目に留まらない虞れがあった。
【先行技術文献】
【特許文献】
【０００４】
【特許文献１】特開２００４−３０６５２０号公報
【発明の概要】
【発明が解決しようとする課題】
【０００５】
解決しようとする課題は、机上に置かれたメモ用紙が目立ちにくく、メモ内容が目に留まらない虞れがある点である。
【課題を解決するための手段】
【０００６】
そこで、本発明に係るメモ用紙は、未使用状態では、メモ記入用空白部と折曲予定線部を有する平面状紙片であって、かつ、上記折曲予定線部を含む一直線に関して線対称として一対の円弧部を有する外周縁を備え、使用状態では、上記折曲予定線部にて２つ折りして倒立Ｖ字形状とし、かつ、上記円弧部を下方として、被載置面上にシーソー運動可能に載置するように構成したものである。
また、上記外周縁の形状を、上記一対の円弧部を含んだ一つの円形としたものである。
また、折曲予定線部が上記一直線に沿って分離して配設され、該分離した折曲予定線部に両端がつながる打抜線を上記一直線から上記一対の円弧部の内の一方へ接近するように形成し、使用状態に於て上記折曲予定線部より上方へ突出片部を形成するように構成したものである。
【発明の効果】
【０００７】
本発明のメモ用紙によれば、被載置面上に載置された使用状態に於て、目立ちやすく、確実にメモ内容を見せる（例えば伝言を伝える）ことができる。すなわち、伝言機能を発揮しやすい。また、指で揺らす（シーソー運動させる）ことができ、注意を引く。
【図面の簡単な説明】
【０００８】
【図１】本発明の第１の実施の形態を示す斜視図である。
【図２】未使用状態を示す平面図である。
【図３】数十枚のメモ用紙を台座に収納した状態を示す斜視図である。
【図４】台座の側面図である。
【図５】台座の展開図である。
【図６】第２の実施の形態の使用状態の一例を示す斜視図である。
【図７】他の使用状態を示す斜視図である。
【発明を実施するための形態】
【０００９】
以下、図示の実施の形態に基づいて本発明を詳説する。
図１は、本発明の第１の実施の形態の使用状態を示す。このメモ用紙Ｐは、メモ記入用空白部１にメモＭ（例えば「会議は13時からです。」等）を筆記具にて記入した後、使用状態とされる。使用状態では、折曲予定線部２にて２つ折りして倒立Ｖ字形状とし、かつ、円弧部３を下方として、机・テーブル等の被載置面Ｅ上にシーソー運動可能に載置するように構成される。手で揺らすと、矢印Ａに示すように揺動（シーソー運動）する。
【００１０】
図２に示すように、未使用状態では、メモ記入用空白部１と折曲予定線部２を有する平面状紙片であって、かつ、折曲予定線部２を含む一直線Ｌに関して線対称として一対の円弧部３を有する外周縁４を備える。図２に於ては、外周縁４の形状が、一対の（中心角 180°の）円弧部３を含んだ一つの円形である。
【００１１】
折曲予定線部２が一直線Ｌに沿って左右に分離して配設され、分離した折曲予定線部２に両端21がつながる打抜線５を一直線Ｌから一対の円弧部３の内の一方へ接近するように形成し、使用状態に於て折曲予定線部２より上方へ突出片部６を形成するように構成される。
【００１２】
図３・図４に示すように、数十枚の（未使用の）メモ用紙Ｐを台座（ケース）Ｇに収納状としておくのが好ましい。台座Ｇは、例えば、印刷を施された厚紙から成る。台座Ｇは、少なくとも前壁７と、後壁８を有するとともに、メモ用紙差込用上方開口部（移動規制部）９を有する。後壁８は、上方前傾状に形成され、差込まれたメモ用紙Ｐを前方から容易に取出すことができる。後壁８は、メモ用紙差込用上方開口部９より上方に突出してメモ用紙Ｐの姿勢を確実に保持する姿勢保持壁部15を有する。前壁７は、上方後傾状に形成され、差込まれたメモ用紙Ｐを下方から支持する支持機能を発揮する。
【００１３】
前壁７と後壁８は、上壁10及び底壁11によって連結される。前壁７と上壁10と後壁８によって、メモ用紙差込用上方開口部９が形成される。底壁11に側壁12が連設される。側壁12の後端縁13が、後壁８の内面14と接するように構成され、数十枚のメモ用紙Ｐが前傾することによる後壁８の変形を防止する補強機能を発揮する。
【００１４】
図５は台座Ｇの展開図を示す。すなわち、台座Ｇは１枚のシート体から成る。底壁11に差込用打抜線18が形成される。前壁７の前端縁19に、組立ての際、差込用打抜線18に差込可能な差込片20が連設される。展開図から分かるように、製造工程に於ける打抜きの際、小さな打抜カスが発生しないように構成されている。
なお、上壁10を省略して、前壁７と後壁８を直接連結する構成とするも良い。この場合、前壁７と後壁８によって、メモ用紙差込用上方開口部９を形成する。
【００１５】
図６・図７は第２の実施の形態の使用状態を示す。このメモ用紙Ｐは、表て面16と裏面17に異なる絵が印刷されている。表て面16が明るい色に彩色され、裏面17が暗い色に彩色されている。具体的には、表て面16は昼間の情景が描かれ、裏面17は夜間の情景が描かれている。そして、折曲予定線部２を山折りにした場合、表て面16が外側となり、折曲予定線部２を谷折りにした場合、裏面17が外側となり、それぞれに使用状態とすることができる。その他の構成は、第１の実施の形態と同様である。
【００１６】
使用例としては、薬の飲み忘れ防止のために、表て面16に「朝は１錠」というメモＭを記載するとともに、裏面17に「夜は２錠」というメモＭを記載する。朝は、表て面16のメモＭ（「朝は１錠」）を読んで薬を１錠飲み、裏面17が外側となるように折曲予定線部２を折曲げ、夜は、裏面17のメモＭ（「夜は２錠」）を読んで薬を２錠飲み、表て面16が外側となるように折曲予定線部２を折り曲げる、というように使用できる。
【００１７】
なお、本発明の使用方法として、メモ記入用空白部１以外の部分にメモＭを記入するも良い。例えば、表て面16のみに彩色等されている場合、裏面17にメモＭを記入すれば、シークレットメモとなる。
【００１８】
本発明は、設計変更可能であって、例えば、あらかじめ折曲予定線部２に凹溝状に型をつけておくも好ましい。また、外周縁４の形状を、一対の円弧部３から成るレモン型に形成するも良い。また、外周縁４の形状を、一対の円弧部３を含んだ樽型に形成するも良い。また、折曲予定線部２が一直線Ｌに沿って３つに分離して配設され、かつ、２つの突出片部６を形成するも良い。
【００１９】
以上のように、本発明は、未使用状態では、メモ記入用空白部１と折曲予定線部２を有する平面状紙片であって、かつ、折曲予定線部２を含む一直線Ｌに関して線対称として一対の円弧部３を有する外周縁４を備え、使用状態では、折曲予定線部２にて２つ折りして倒立Ｖ字形状とし、かつ、円弧部３を下方として、被載置面Ｅ上にシーソー運動可能に載置するように構成したので、被載置面Ｅ上に載置された使用状態に於て、目立ちやすく、確実にメモ内容を見せる（例えば伝言を伝える）ことができる。すなわち、伝言機能を発揮しやすい。また、指で揺らす（シーソー運動させる）ことができ、注意を引く。
【００２０】
また、外周縁４の形状を、一対の円弧部３を含んだ一つの円形としたので、容易に製造することができる。
また、折曲予定線部２が一直線Ｌに沿って分離して配設され、分離した折曲予定線部２に両端21がつながる打抜線５を一直線Ｌから一対の円弧部３の内の一方へ接近するように形成し、使用状態に於て折曲予定線部２より上方へ突出片部６を形成するように構成したので、突出片部６が目立つことで、よりメモ内容を確実に伝達することができる。
【符号の説明】
【００２１】
１  メモ記入用空白部
２  折曲予定線部
３  円弧部
４  外周縁
５  打抜線
６  突出片部
21  両端
Ｅ  被載置面
Ｌ  一直線
【図１】
2015139942.tif 000003
【図２】
2015139942.tif 000004
【図３】
2015139942.tif 000005
【図４】
2015139942.tif 000006
【図５】
2015139942.tif 000007
【図６】
2015139942.tif 000008
【図７】
2015139942.tif 000009